(57)【要約】【課題】媒体供給装置にロール状の媒体をセットする際の操作性を向上する。【解決手段】ロールＲ状の媒体Ｍを支持するスピンドル１１と、スピンドル１１に支持された媒体Ｍを外部に向けて供給する供給部１３と、スピンドル１１と供給部１３との間の位置で媒体Ｍを支持する複数の支持ローラー２と、支持ローラー２同士の間の接触位置において、支持ローラー２同士の間で架け渡し媒体Ｍａに荷重をかけた状態で接触可能であって、接触位置から架け渡し媒体Ｍａに接触しない非接触位置まで移動可能な、移動ローラー３と、移動ローラー３を接触位置から非接触位置まで移動させる移動機構１６と、を備える媒体供給装置１。【選択図】図１０
2019131385.tif 000002
【特許請求の範囲】
【請求項１】
ロール状の媒体を支持するスピンドルと、
前記スピンドルに支持された前記媒体を外部に向けて供給する供給部と、
前記スピンドルと前記供給部との間の位置で前記媒体を支持する複数の支持ローラーと、
前記支持ローラー同士の間の接触位置において、前記支持ローラー同士の間で架け渡された前記媒体である架け渡し媒体に荷重をかけた状態で接触可能であって、前記接触位置から前記架け渡し媒体に接触しない非接触位置まで移動可能な、移動ローラーと、
前記移動ローラーを前記接触位置から前記非接触位置まで移動させる移動機構と、
を備えることを特徴とする媒体供給装置。
【請求項２】
請求項１に記載の媒体供給装置において、
前記接触位置は、前記非接触位置から前記支持ローラー同士の軸心を結ぶ軸心面に前記移動ローラーの軸心が達するか又は超えるまで該移動ローラーを移動する位置であることを特徴とする媒体供給装置。
【請求項３】
請求項１又は２に記載の媒体供給装置において、
前記支持ローラーの少なくとも１つは、前記媒体を搬送する搬送力を前記媒体に付与する搬送ローラーであることを特徴とする媒体供給装置。
【請求項４】
請求項３に記載の媒体供給装置において、
前記搬送ローラーに前記媒体を押し付ける押圧ローラーを備えることを特徴とする媒体供給装置。
【請求項５】
請求項１から４のいずれか１項に記載の媒体供給装置において、
前記スピンドルを回転させるモーターを備えることを特徴とする媒体供給装置。
【請求項６】
請求項１から５のいずれか１項に記載の媒体供給装置において、
前記接触位置及び前記非接触位置の少なくとも一方において前記移動ローラーを固定する固定機構を備えることを特徴とする媒体供給装置。
【請求項７】
請求項１から６のいずれか１項に記載の媒体供給装置において、
前記移動機構は、前記移動ローラーに接続されたラック部と、持ち手部が形成されたピニオン部と、を有することを特徴とする媒体供給装置。
【発明の詳細な説明】
【技術分野】
【０００１】
本発明は、媒体供給装置に関する。
【背景技術】
【０００２】
従来から、様々な媒体供給装置が使用されている。このうち、ロール状の媒体を内部にセットし、所望の外部装置に該媒体を供給する媒体供給装置がある。  
例えば、特許文献１には、外部装置としての画像形成装置に、ロール状の記録媒体（減反ロール）を供給可能な記録媒体供給装置が開示されている。
【先行技術文献】
【特許文献】
【０００３】
【特許文献１】特開２００７−３２０６６９号公報
【発明の概要】
【発明が解決しようとする課題】
【０００４】
媒体供給装置で使用可能なロール状の媒体は様々なものがあり、大型のロール状の媒体を使用した場合、媒体の搬送性を向上するために、媒体供給装置に設けられる媒体の支持ローラー（搬送ローラー）に対する巻きつけ長さを長くすることが行われる場合がある。例えば、特許文献１の記録媒体供給装置においては、媒体（記録媒体）の支持ローラー（記録媒体送出しローラなど）に対する巻きつけ長さを長くするために、支持ローラー間においておもり部材を媒体に載せ、媒体の搬送経路を支持ローラー及びおもり部材の位置で湾曲させ、搬送される媒体と支持ローラーとの接触面積を大きくすることが行われている。  
しかしながら、ロール状の媒体を使用可能な従来の媒体供給装置においては、媒体を湾曲させつつ送りながらセットしなければならない場合などが有り、特に大型のロール状の媒体を使用した場合などにおいて、媒体をセットする際の操作性が悪く、媒体をセットするのに過剰な手間がかかっていた。
【０００５】
そこで、本発明は、媒体供給装置にロール状の媒体をセットする際の操作性を向上することを目的にする。
【課題を解決するための手段】
【０００６】
上記課題を解決するための本発明の第１の態様の媒体供給装置は、ロール状の媒体を支持するスピンドルと、前記スピンドルに支持された前記媒体を外部に向けて供給する供給部と、前記スピンドルと前記供給部との間の位置で前記媒体を支持する複数の支持ローラーと、前記支持ローラー同士の間の接触位置において、前記支持ローラー同士の間で架け渡された前記媒体である架け渡し媒体に荷重をかけた状態で接触可能であって、前記接触位置から前記架け渡し媒体に接触しない非接触位置まで移動可能な、移動ローラーと、前記移動ローラーを前記接触位置から前記非接触位置まで移動させる移動機構と、を備えることを特徴とする。
【０００７】
本態様によれば、支持ローラー同士の間の接触位置において、支持ローラー同士の間で架け渡し媒体に荷重をかけた状態で接触可能であって、接触位置から架け渡し媒体に接触しない非接触位置まで移動可能な移動ローラーと、該移動ローラーの移動機構と、を備えている。このため、移動機構により、移動ローラーを接触位置に位置させることで、搬送される媒体と支持ローラーとの接触面積を大きくする（媒体の支持ローラーに対する巻きつけ長さを長くする）ことができ、媒体の搬送性を向上することができる。そして、移動機構により、移動ローラーを非接触位置に一旦位置させることで、媒体を直線的に送ってセットすることが可能になり、媒体をセットする際の操作性を向上することができる。
【０００８】
本発明の第２の態様の媒体供給装置は、前記第１の態様において、前記接触位置は、前記非接触位置から前記支持ローラー同士の軸心を結ぶ軸心面に前記移動ローラーの軸心が達するか又は超えるまで該移動ローラーを移動する位置であることを特徴とする。
【０００９】
本態様によれば、接触位置は、非接触位置から支持ローラー同士の軸心を結ぶ軸心面に移動ローラーの軸心が達するか又は超えるまで該移動ローラーを移動する位置である。このため、効果的に媒体と支持ローラーとの接触面積を大きくすることができ、効果的に媒体の搬送性を向上することができる。
【００１０】
本発明の第３の態様の媒体供給装置は、前記第１又は第２の態様において、前記支持ローラーの少なくとも１つは、前記媒体を搬送する搬送力を前記媒体に付与する搬送ローラーであることを特徴とする。
【００１１】
本態様によれば、支持ローラーの少なくとも１つは媒体を搬送する搬送力を該媒体に付与する搬送ローラーであるので、効果的に媒体を供給部から供給することができる。したがって、例えば、大型のロール状の媒体を使用した場合などにおいて、該媒体供給装置から媒体を供給する外部装置の搬送機構の媒体搬送力が弱い場合などであっても、効果的に媒体を該外部装置に供給することができる。
【００１２】
本発明の第４の態様の媒体供給装置は、前記第３の態様において、前記搬送ローラーに前記媒体を押し付ける押圧ローラーを備えることを特徴とする。
【００１３】
本態様によれば、搬送ローラーに媒体を押し付ける押圧ローラーを備えるので、搬送ローラーと押圧ローラーとからなるローラー対により効果的に媒体を搬送し、特に効果的に媒体を外部装置に供給することができる。
【００１４】
本発明の第５の態様の媒体供給装置は、前記第１から第４のいずれか１つの態様において、前記スピンドルを回転させるモーターを備えることを特徴とする。
【００１５】
本態様によれば、スピンドルを回転させるモーターを備えるので、効果的に媒体を供給部から外部装置に供給することができる。したがって、例えば、大型のロール状の媒体を使用した場合などにおいて、該媒体供給装置から媒体を供給する外部装置の搬送機構の媒体搬送力が弱い場合などであっても、効果的に媒体を供給することができる。
【００１６】
本発明の第６の態様の媒体供給装置は、前記第１から第５のいずれか１つの態様において、前記接触位置及び前記非接触位置の少なくとも一方において前記移動ローラーを固定する固定機構を備えることを特徴とする。
【００１７】
本態様によれば、接触位置及び非接触位置の少なくとも一方において移動ローラーを固定する固定機構を備えるので、接触位置や非接触位置に位置させた移動ローラーが不意に移動してしまうことを抑制できる。
【００１８】
本発明の第７の態様の媒体供給装置は、前記第１から第６のいずれか１つの態様において、前記移動機構は、前記移動ローラーに接続されたラック部と、持ち手部が形成されたピニオン部と、を有することを特徴とする。
【００１９】
本態様によれば、移動機構は、移動ローラーに接続されたラック部と、持ち手部が形成されたピニオン部と、を有するので、簡単な構成で、移動ローラーを接触位置と非接触位置との間で楽に移動させることができる。
【図面の簡単な説明】
【００２０】
【図１】本発明の実施例１に係る媒体供給装置の概略斜視図。
【図２】本発明の実施例１に係る媒体供給装置の概略斜視図。
【図３】本発明の実施例１に係る媒体供給装置の概略斜視図。
【図４】本発明の実施例１に係る媒体供給装置の概略斜視図。
【図５】本発明の実施例１に係る媒体供給装置の概略側面図。
【図６】本発明の実施例１に係る媒体供給装置の概略側面図。
【図７】本発明の実施例１に係る媒体供給装置の概略側面図。
【図８】本発明の実施例１に係る媒体供給装置の概略側面図。
【図９】本発明の実施例１に係る媒体供給装置の概略側面断面図。
【図１０】本発明の実施例１に係る媒体供給装置の概略側面断面図。
【図１１】本発明の実施例２に係る媒体供給装置の概略側面断面図。
【発明を実施するための形態】
【００２１】
以下に、本発明の一実施例に係る媒体供給装置１について、添付図面を参照して詳細に説明する。  
［実施例１］（図１〜図１０）  
最初に、本発明の実施例１に係る媒体供給装置１について図１から図１０を参照して説明する。
【００２２】
ここで、図１から図４は、本実施例に係る媒体供給装置１の概略斜視図である。このうち、図１は、移動ローラー３の移動機構１６における持ち手部６ａを有するピニオン部６側から見た斜視図であり、移動ローラー３を下げた状態を表す図である。また、図２は、移動ローラー３の移動機構１６における持ち手部６ａを有するピニオン部６側から見た斜視図であり、移動ローラー３を上げた状態を表す図である。また、図３は、移動ローラー３の移動機構１６におけるピニオン部７側から見た斜視図であり、移動ローラー３を下げた状態を表す図である。そして、図４は、移動ローラー３の移動機構１６におけるピニオン部７側から見た斜視図であり、移動ローラー３を上げた状態を表す図である。
【００２３】
また、図５から図８は、本実施例に係る媒体供給装置１の概略側面図である。このうち、図５は、移動ローラー３の移動機構１６における持ち手部６ａを有するピニオン部６側から見た側面図であり、移動ローラー３を下げた状態を表す図である。また、図６は、移動ローラー３の移動機構１６における持ち手部６ａを有するピニオン部６側から見た側面図であり、移動ローラー３を上げた状態を表す図である。また、図７は、移動ローラー３の移動機構１６におけるピニオン部７側から見た側面図であり、移動ローラー３を下げた状態を表す図である。そして、図８は、移動ローラー３の移動機構１６におけるピニオン部７側から見た側面図であり、移動ローラー３を上げた状態を表す図である。
【００２４】
そして、図９及び図１０は、本実施例に係る媒体供給装置１の概略側面断面図である。このうち、図９は、移動ローラー３を下げた状態を表す側面断面図であるとともに、媒体Ｍがセットされ外部装置である記録装置１０１に向けて供給部１３から媒体Ｍを供給可能な状態を表している。また、図１０は移動ローラー３を上げた状態を表す側面断面図であるとともに、媒体Ｍのセット時を表している。
【００２５】
ここで、図１、図３、図５、図７及び図９は、媒体Ｍが媒体供給装置１にセットされている場合に移動ローラー３が該媒体Ｍに接触する接触位置にある状態に対応している。そして、図２、図４、図６、図８及び図１０は、媒体Ｍが媒体供給装置１にセットされている場合であっても移動ローラー３が該媒体Ｍに接触しない非接触位置にある状態に対応している。  
なお、図１から図１０においては、構成を分かり易くするために一部の構成部材を省略して表している。
【００２６】
図１から図１０で表されるように、本実施例の媒体供給装置１は、媒体ＭのロールＲを支持するスピンドル１１を備えている。そして、図１から図８で表されるように、媒体供給装置１は、該スピンドル１１をセットするセット部１２を備えている。なお、本実施例のスピンドル１１は、図９及び図１０で表されるように、大型のロールＲをセットしても撓まないように軸部１１ａが金属で構成されているとともに、軸部１１ａの内部に補強部材１７が設けられている。ただし、スピンドル１１の構成に特に限定はない。
【００２７】
また、図１から図４などで表されるように、本実施例の媒体供給装置１は、該媒体供給装置１にセットされた媒体Ｍを支持可能な複数の支持ローラー２を備えている。詳細には、支持ローラー２は３本あり、媒体Ｍの搬送方向Ａ（図９及び図１０参照）における上流側から下流側に向かって、支持ローラー２ａ、支持ローラー２ｂ、支持ローラー２ｃである。なお、各々の支持ローラー２の回転軸方向は、何れも、媒体Ｍの搬送方向Ａと直交する方向である。そして、搬送方向Ａにおける最も下流側の支持ローラー２ｃは、記録装置１０１（図９及び図１０参照）などの外部装置に向けて媒体Ｍを供給する供給部１３を兼ねている。
【００２８】
なお、本実施例の媒体供給装置１は、例えば図９及び図１０の破線で表されるような記録装置１０１のような外部装置に向けて媒体Ｍを供給することが可能な構成である。本例における記録装置１０１は、媒体供給装置１から供給された媒体Ｍを搬送する搬送部としての搬送ローラー対１０２と、搬送ローラー対１０２によって搬送される媒体Ｍにインクを吐出して画像を形成する記録ヘッド１０３と、を備える構成である。しかしながら、記録装置の構成はこのような構成に限定されず、さらには、外部装置は記録装置に限定されない。
【００２９】
また、図１から図４などで表されるように、本実施例の媒体供給装置１は、移動機構１６により上下方向（別の表現をすると、搬送方向Ａと交差する方向）に移動可能な移動ローラー３を備えている。詳細には、移動ローラー３は２本あり、媒体Ｍの搬送方向Ａにおける上流側から下流側に向かって、移動ローラー３ａ、移動ローラー３ｂである。なお、各々の移動ローラー３の回転軸方向は、何れも、支持ローラー２の回転軸方向と同様、媒体Ｍの搬送方向Ａと直交する方向である。すなわち、全ての支持ローラー２及び移動ローラー３の回転軸方向は、搬送方向Ａと直交する方向であって、平行になっている。
【００３０】
ここで、本実施例の媒体供給装置１においては、スピンドル１１、支持ローラー２及び移動ローラー３は何れも媒体Ｍの搬送方向Ａの移動に伴って回転する従動ローラーである。したがって、本実施例の媒体供給装置１は、媒体Ｍの搬送方向Ａにおける供給部１３よりも下流側で用いられる外部装置に設けられる搬送部（例えば記録装置１０１の搬送ローラー対１０２）によって、媒体Ｍを搬送する（外部装置に媒体Ｍを供給する）ことを前提とした媒体供給装置である。しかしながら、当然、スピンドル１１、支持ローラー２及び移動ローラー３のうちの少なくともいずれか１つを、モーターの駆動力などにより媒体Ｍを搬送するために媒体Ｍに搬送力を付与する構成にしてもよく、特に大型のロールＲを使用する場合には媒体Ｍの供給能力を高くするためにそのような構成であることが好ましい。
【００３１】
また、上記のように、本実施例の媒体供給装置１は、移動ローラー３を上下方向に移動可能な移動機構１６を備えている。移動機構１６は、図５及び図６などで表されるように、持ち手部６ａを有するピニオン部６と、該ピニオン部６と係合するラック部４（ラック部４ａ）と、を有している。そして、図７及び図８などで表されるように、ピニオン部７と、該ピニオン部７と係合するラック部４（ラック部４ｂ）と、を有している。ここで、図１から図４などで表されるように、ラック部４は、移動ローラー３に対して、移動ローラー３の両端部において、上下方向に延びる溝孔部５に移動ローラー３の軸心３ｍが通された状態で接続されている。そして、ラック部４ａ及びラック部４ｂは、部品を共通化することでその製造コストを下げる目的で、同形状をしている。
【００３２】
また、ピニオン部６とピニオン部７とはバー部材１０（図１、図３及び図４参照）で接続されており、ピニオン部６を回転方向Ｒ１に回転することでピニオン部７も回転方向Ｒ１に回転し、ピニオン部６を回転方向Ｒ２に回転することでピニオン部７も回転方向Ｒ２に回転する構成になっている。そして、図１、図３、図５及び図７で表される状態からユーザーが持ち手部６ａを持ってピニオン部６を回転方向Ｒ１に回転することでラック部４は溝孔部５に沿って上方に移動し、図２、図４、図６及び図８で表される状態からユーザーが持ち手部６ａを持ってピニオン部６を回転方向Ｒ２に回転することでラック部４は溝孔部５に沿って下方に移動する構成になっている。そして、ラック部４の上下方向の移動に伴って、移動ローラー３も上下方向に移動する。
【００３３】
ここで、図９は、媒体Ｍが媒体供給装置１にセットされ、外部装置に向けて供給部１３から媒体Ｍを供給可能な状態を表している。図９で表されるように、スピンドル１１から送られる媒体Ｍは、支持ローラー２ａの上側円周面、移動ローラー３ａの下側円周面、支持ローラー２ｂの上側円周面、移動ローラー３ｂの下側円周面、支持ローラー２ｃの上側円周面、と接触して（巻きつけられて）供給部１３から外部装置に向けて排出（供給）される。このため、搬送される媒体Ｍと支持ローラー２との接触面積が大きくなっており、媒体の搬送性は向上されている。
【００３４】
なお、図９で表されるように、本実施例の媒体供給装置１は、支持ローラー２により下側から媒体Ｍを支持し、支持ローラー２同士の間において移動ローラー３により上側から荷重をかける構成になっている。しかしながら、このような構成に限定されない。例えば、支持ローラー２により上側から媒体Ｍを支持し（上側に位置する支持ローラー２に媒体Ｍを押し当てるようにし）、支持ローラー２同士の間において移動ローラー３により下側から荷重をかける構成などとしてもよい。すなわち、支持ローラー２による媒体Ｍの支持方向、並びに、移動ローラー３による媒体Ｍにかける荷重方向に、限定はない。
【００３５】
図１、図３、図５、図７及び図９で表されるように移動ローラー３が下側に下げられている状態（移動ローラー３が媒体Ｍと接触可能な接触位置にある状態）で、媒体ＭのロールＲをセットするのは、ユーザーにとって非常に操作性が悪い。それは、支持ローラー２と移動ローラー３との間隔が小さいことと、媒体Ｍを湾曲して搬送方向Ａに移動させながらセットしなければならないことと、に起因する。
【００３６】
ただし、上記のように本実施例の媒体供給装置１は、図２、図４、図６、図８及び図１０で表されるように移動ローラー３が上側に上げられている状態（移動ローラー３が媒体Ｍと接触しない非接触位置にある状態）にできる。このように移動ローラー３を非接触位置にある状態として媒体ＭのロールＲをセットすれば、図１０で表されるように、支持ローラー２と移動ローラー３との上下方向の間隔を広げられるとともに、媒体Ｍを直線的に搬送方向Ａに移動させながらセットできる。そして、図１０で表される状態（媒体Ｍに支持ローラー２同士の間で架け渡された架け渡し媒体Ｍａが形成されている状態）に媒体Ｍを配置した後に、移動ローラー３を接触位置に下げれば、簡単に、図９で表される状態（支持ローラー２同士の間において架け渡し媒体Ｍａに荷重がかけられている状態）である媒体Ｍの搬送に適した状態（媒体Ｍの支持ローラー２に対する巻きつけ長さが長い状態）にすることができる。したがって、本実施例の媒体供給装置１は、媒体Ｍを高い精度で搬送できるとともに、媒体Ｍをセットする際の負荷を軽減できる。なお、「媒体Ｍの支持ローラー２に対する巻きつけ長さ」とは、支持ローラー２の円周面に対する媒体Ｍの搬送方向Ａにおける接触長さを意味する。
【００３７】
ここで、一旦まとめると、本実施例の媒体供給装置１は、媒体ＭのロールＲ（ロール状の媒体Ｍ）を支持するスピンドル１１と、スピンドル１１に支持された媒体Ｍを外部に向けて供給する供給部１３と、スピンドル１１と供給部１３との間の位置で媒体Ｍを支持する複数の支持ローラー２と、を備えている。さらに、支持ローラー２同士の間の接触位置において、支持ローラー２同士の間で架け渡された媒体Ｍである架け渡し媒体Ｍａ（図１０参照）に荷重をかけた状態で接触（図９参照）可能であって、該接触位置から架け渡し媒体Ｍａに接触しない非接触位置（図１０参照）まで移動可能な、移動ローラー３と、移動ローラー３を接触位置から非接触位置まで移動させる移動機構１６と、を備えている。  
本実施例の媒体供給装置１は、このような構成をした移動ローラー３と移動機構１６とを備えているため、該移動機構１６により、該移動ローラー３を接触位置に位置させることで、搬送される媒体Ｍと支持ローラー２との接触面積を大きくする（媒体Ｍの支持ローラー２に対する巻きつけ長さを長くする）ことができ（図９参照）、媒体Ｍの搬送性を向上することができる。そして、該移動機構１６により、移動ローラー３を非接触位置に一旦位置させることで（図１０参照）、媒体Ｍを直線的に送ってセットすることが可能になり、媒体Ｍをセットする際の操作性を向上することができる。
【００３８】
また、上記のように、本実施例の媒体供給装置１は移動機構１６を有しており、該移動機構１６は、移動ローラー３に接続されたラック部４ａと、該ラック部４ａと係合するとともに持ち手部６ａが形成されたピニオン部６と、を有する。本実施例の媒体供給装置１は、このような簡単な構成で、移動ローラー３を接触位置と非接触位置との間で楽に移動させることを可能にしている。
【００３９】
なお、上記のように、本実施例の移動機構１６は、さらに、移動ローラー３に接続されたラック部４ｂと、該ラック部４ｂと係合するとともにピニオン部６とバー部材１０を介して接続されることでピニオン部６の回転に伴い回転するピニオン部７と、を備えている。このため、特に効果的に移動ローラー３を接触位置と非接触位置との間で移動させることができる。ただし、移動機構１６は、このような構成に限定されず、例えばラック部４ｂとピニオン部７とを有さない構成としてもよい。
【００４０】
ここで、本実施例の移動機構１６は、さらに、図５及び図６などで表されるように、ピニオン部６の位置を固定する固定機構８を備えている。詳細には、固定機構８は、該固定機構８の一端側に形成されるとともに筐体部分に回動可能に固定される回動軸８ｂと、該固定機構８の他端側に形成される突起部８ａと、を有しており、回動軸８ｂを基準に回転方向Ｒ１及び回転方向Ｒ２に回動可能な構成となっている。そして、図５などで表されるようにラック部４ａには凹部９が形成されており、図６で表されるように、ラック部４ａが所定の位置（すなわち、移動ローラー３が所定の非接触位置）にある場合に、突起部８ａを凹部９に挿入させてラック部４ａを固定することができる構成になっている。
【００４１】
なお、本実施例の移動機構１６には設けられていないが、移動ローラー３（ラック部４ａ）が図５で表されるような所定の接触位置にある場合に、突起部８ａを挿入可能な凹部をさらに設けてもよい。そのような構成とすることで、移動ローラー３が所定の接触位置にある場合においても、突起部８ａを該凹部に挿入させてラック部４ａを固定することができる。
【００４２】
このように、接触位置及び非接触位置の少なくとも一方において移動ローラー３を固定する固定機構８を備えることが好ましい。そのような構成とすることで、接触位置及び非接触位置の少なくとも一方において移動ローラー３を固定することができ、接触位置や非接触位置に位置させた移動ローラーが不意に移動してしまうことを抑制できるためである。
【００４３】
また、図９で表されるように、本実施例の媒体供給装置１における接触位置は、非接触位置から支持ローラー２同士の軸心２ｍを結ぶ軸心面Ｆに移動ローラー３の軸心３ｍが達する位置である。  
このように、接触位置は、非接触位置から支持ローラー２同士の軸心２ｍを結ぶ軸心面Ｆに移動ローラー３の軸心３ｍが達するか又は超えるまで該移動ローラー３を移動する位置であることが好ましい。そのような構成とすることで、効果的に媒体Ｍと支持ローラー２との接触面積を大きくすることができ、効果的に媒体Ｍの搬送性を向上することができるためである。
【００４４】
次に、実施例２の媒体供給装置１について説明する。  
［実施例２］（図１１）  
図１１は本実施例の媒体供給装置１の概略側面断面図であり、実施例１の媒体供給装置１の図９に対応する図である。なお、上記実施例１と共通する構成部材は同じ符号で示しており、詳細な説明は省略する。
【００４５】
図１１で表されるように、本実施例の媒体供給装置１は、実施例１の媒体供給装置１における搬送方向Ａにおける最も下流側の支持ローラー２ｃに対応する支持ローラー２が、モーター１９と接続されており、該モーター１９の駆動力により回転して媒体Ｍを搬送する搬送力を該媒体Ｍに付与する搬送ローラー１５となっている。  
このように、支持ローラー２の少なくとも１つを、媒体Ｍを搬送する搬送力を該媒体Ｍに付与する搬送ローラー１５とすることで、効果的に媒体Ｍを供給部１３から供給することができる。したがって、本実施例の媒体供給装置１は、例えば、大型の媒体ＭのロールＲを使用した場合などにおいて、該媒体供給装置１から媒体Ｍを供給する外部装置の搬送機構（例えば記録装置１０１の搬送ローラー対１０２）の媒体搬送力が弱い場合などであっても、効果的に媒体Ｍを該外部装置に供給することができる。
【００４６】
また、図１１で表されるように、本実施例の媒体供給装置１は、さらに、搬送ローラー１５に媒体Ｍを押し付ける押圧ローラー１４を備えている。このため、本実施例の媒体供給装置１は、搬送ローラー１５と押圧ローラー１４とからなるローラー対により効果的に媒体Ｍを搬送し、特に効果的に媒体Ｍを外部装置に供給することができる構成になっている。
【００４７】
また、図１１で表されるように、本実施例の媒体供給装置１においては、スピンドル１１は、モーター１８と接続されており、該モーター１８の駆動力により回転して媒体Ｍを送り出すことが可能な構成になっている。すなわち、本実施例の媒体供給装置１は、スピンドル１１を回転させるモーター１８を備えるので、効果的に媒体Ｍを供給部１３から外部装置に供給することができる。したがって、本実施例の媒体供給装置１は、例えば、大型の媒体ＭのロールＲを使用した場合などにおいて、該媒体供給装置１から媒体Ｍを供給する外部装置の搬送機構の媒体搬送力が弱い場合などであっても、効果的に媒体Ｍを供給することができる。
【００４８】
なお、本発明は上記実施例に限定されることなく、特許請求の範囲に記載した発明の範囲内で種々の変形が可能であり、それらも本発明の範囲内に含まれることは言うまでもない。
【符号の説明】
【００４９】
１…媒体供給装置、２…支持ローラー、２ａ…支持ローラー、２ｂ…支持ローラー、
２ｃ…支持ローラー、２ｍ…支持ローラー２の軸心、３…移動ローラー、
３ａ…移動ローラー、３ｂ…移動ローラー、３ｍ…移動ローラー３の軸心、
４…ラック部、４ａ…ラック部、４ｂ…ラック部、５…溝孔部、６…ピニオン部、
６ａ…持ち手部、７…ピニオン部、８…固定機構、８ａ…突起部、８ｂ…回動軸、
９…凹部、１０…バー部材、１１…スピンドル、１１ａ…軸部、１２…セット部、
１３…供給部、１４…押圧ローラー、１５…搬送ローラー、１６…移動機構、
１７…補強部材、１８…モーター、１９…モーター、１０１…記録装置、
１０２…搬送ローラー対、１０３…記録ヘッド、Ｆ…軸心面、Ｍ…媒体、
Ｍａ…架け渡し媒体、Ｒ…ロール
【図１】
2019131385.tif 000003
【図２】
2019131385.tif 000004
【図３】
2019131385.tif 000005
【図４】
2019131385.tif 000006
【図５】
2019131385.tif 000007
【図６】
2019131385.tif 000008
【図７】
2019131385.tif 000009
【図８】
2019131385.tif 000010
【図９】
2019131385.tif 000011
【図１０】
2019131385.tif 000012
【図１１】
2019131385.tif 000013